(57)【要約】【課題】  本発明は露光面へ直進光だけを放射することができる、小型で、構造が簡単で、容易に製造することができるとともに、発熱量を著しく低減させることができる露光機用光源装置を得るにある。【解決手段】  内壁面に光吸収膜が形成されたハニカムコアと、このハニカムコアの開口端部の一端部を覆うように取付けられたベース板と、このベース板の前記ハニカムコアの各筒内に位置し、該ハニカムコアの他端部より直進光だけを放射できるように取付けられた多数個のＬＥＤと、この多数個のＬＥＤを点灯させる点灯回路とで露光機用光源装置を構成している。【選択図】  図４
2010066520.tif 000002
【特許請求の範囲】
【請求項１】
内壁面に光吸収膜が形成されたハニカムコアと、このハニカムコアの開口端部の一端部を覆うように取付けられたベース板と、このベース板の前記ハニカムコアの各筒内に位置し、該ハニカムコアの他端部より直進光だけを放射できるように取付けられた多数個のＬＥＤと、この多数個のＬＥＤを点灯させる点灯回路とからなることを特徴とする露光機用光源装置。
【請求項２】
ハニカムコアの内壁面に形成された光吸収膜は内壁面へ照射される光を反射することなく吸収できる光吸収塗料で形成されていることを特徴とする請求項１記載の露光機用光源装置。
【請求項３】
ベース板はハニカムコアの一端部の開口部を覆うように取付けられた基板であることを特徴とする請求項１記載の露光機用光源装置。  
【発明の詳細な説明】
【技術分野】
【０００１】
本発明はスクリーン製版および各種感光フイルム等で使用される露光機に用いられる露光機用光源装置に関する。
【背景技術】
【０００２】
従来、露光機用光源装置は光源の光を、反射鏡や特殊レンズ等を用いて露光面へ放射するように構成されている。
【０００３】
このように構成された露光面へ放射される光は、反射鏡で反射された光と光源の直接の光となるため、露光面へ放射される光には露光面に対して傾斜角のある乱反射、拡散光が比較的に多く含まれている。
また、光量ムラ（照度分布のムラ）によって、焼付画像の高寸法精度の露光が難しいという欠点があった。
この欠点を解消するために、露光面と光源との間の距離を長くして、直進光だけを使用できるようにする考えや、フルネルレンズを使用する等の平行光の装置が考えられるが、装置が大型化し、コスト高になるという欠点があった。
【特許文献１】特になし
【発明の開示】
【発明が解決しようとする課題】
【０００４】
本発明は以上のような従来の欠点に鑑み、露光面へ直進光だけを放射することができる、小型で、構造が簡単で、容易に製造することができるとともに、発熱量を著しく低減させることができる露光機用光源装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は内壁面に光吸収膜が形成されたハニカムコアと、このハニカムコアの開口端部の一端部を覆うように取付けられたベース板と、このベース板の前記ハニカムコアの各筒内に位置し、該ハニカムコアの他端部より直進光だけを放射できるように取付けられた多数個のＬＥＤと、この多数個のＬＥＤを点灯させる点灯回路とで露光機用光源装置を構成している。
【発明の効果】
【０００７】
以上の説明から明らかなように、本発明にあっては次に列挙する効果が得られる。
【０００８】
（１）内壁面に光吸収膜を形成したハニカムコアとＬＥＤを用いているので、ハニカムコアより放射される光はほぼ直進光だけとなり、露光面へ直進光だけ放射することができる。
したがって、発熱量が少なく、高寸法精度の露光を行なうことができる。
【０００９】
（２）前記（１）によって、露光面と光の放射端部であるハニカムコアの端部との間の距離がなくても、ハニカムコアによって露光面にほぼ均一に直進光を放射することができる。
したがって、均一な光の放射を行なうことができる。
【００１０】
（３）前記（１）によって、ハニカムコアの各筒内にベース板に取付けられたＬＥＤを位置させるだけでよいので、構造が簡単で容易に製造することができる。
【００１１】
（４）前記（１）によって、ハニカムコアを用いているので十分な強度が得られるとともに、ハニカムコアの高さ寸法の設定によって、直進光だけハニカムコアの他端部より放射できるようにできる。
したがって、反射鏡を用いるものに比べ、容易に設計することができるとともに、安価に製造することができる。
【００１２】
（５）請求項２も前記（１）〜（４）と同様な作用効果が得られるとともに、光吸収膜を光吸収塗料で形成するため、容易に光吸収膜を形成することができる。
【発明を実施するための最良の形態】
【００１３】
以下、図面に示す本発明を実施するための最良の形態により、本発明を詳細に説明する。
【００１４】
図１ないし図７に示す本発明を実施するための最良の第１の形態において、１は本発明の露光機用光源装置で、この露光機用光源装置１は基板を用いたベース板２と、このベース板２の上面に固定された内壁面に、光吸収塗料で形成された光吸収膜３を有するハニカムコア４と、このハニカムコア４の各筒４ａ内に位置し、該ハニカムコア４の他端部より直進光だけを放射できるように、前記ベース板２に取付けられた使用目的に最適な発光色やピーク波長、ピーク光度の多数個のＬＥＤ５と、この多数個のＬＥＤ５を点灯させるスイッチ６、ＡＣ−ＤＣ変換器７、電流制限抵抗あるいは定電流ダイオード８を用いた商用電源に接続される点灯回路９とで構成されている。
なお、ベース板２より突出しているＬＥＤ５の寸法の２倍以上の高さ寸法のハニカムコア４を用いると、より直進光の放射光が得られる。
【００１５】
上記構成の露光機用光源装置１は点灯回路９を商用電源に接続し、スイッチ６をＯＮするとハニカムコア４の各筒４ａ内に位置するＬＥＤ５は点灯する。
点灯した多数個のＬＥＤ５の光のうち、ハニカムコア４の他端部より外方へ直進光は放射され、ハニカムコア４の内壁面に当たる傾斜光はハニカムコア４の内壁面の光吸収膜３によって吸収される。
このため、ハニカムコア４の他端部より外方へ突出する放射光は直進光だけとなり、高寸法精度の露光を行なうことができる。
[発明を実施するための異なる形態]
【００１６】
次に、図８ないし図１５に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１７】
図８ないし図１１に示す本発明を実施するための第２の形態において、前記本発明を実施するための最良の第１の形態と主に異なる点は、ベース板２とハニカムコア４を収納する上部開口の箱状のケース本体１０と、このケース本体１０の開口部１０ａおよびハニカムコア４の上部を覆う透明材性のカバー１１とからなるケース体１２を用いた点で、このようにケース体１２で覆った露光機用光源装置１Ａにしても、前記本発明を実施するための最良の第１の形態と同様な作用効果が得られる。
【００１８】
図１２ないし図１５に示す本発明を実施するための第３の形態において、前記本発明を実施するための第２の形態と主に異なる点は、ハニカムコア４の各筒４ａ内にＲＧＢＬＥＤ１３を取付け、制御回路１４を点灯回路９Ａに用いた点で、このようにＲＧＢＬＥＤ１３を用いることにより、使用目的に最適な発光色にして使用することができる露光機用光源装置１Ｂにすることができる。
【００１９】
なお、ベース板２より突出しているＬＥＤ５、１３の高さ寸法に対して、ハニカムコア４の高さ寸法を２倍、３倍というように高く設定することにより、よりＬＥＤ５、ＲＧＢＬＥＤ１３のハニカムコア４より放射される光を、より直進光だけにすることができる。
【産業上の利用可能性】
【００２０】
本発明は発熱量が少なく、高寸法精度の露光を行なう場合に使用される露光機用光源装置を製造する産業で利用される。
【図面の簡単な説明】
【００２１】
【図１】本発明を実施するための最良の第１の形態の平面図。
【図２】本発明を実施するための最良の第１の形態の正面図。
【図３】本発明を実施するための最良の第１の形態の底面図。
【図４】図１の４−４線に沿う断面図。
【図５】本発明を実施するための最良の第１の形態のハニカムコアの要部拡大断面図。
【図６】本発明を実施するための最良の第１の形態の点灯回路の概略説明図。
【図７】本発明を実施するための最良の第１の形態の放射光の説明図。
【図８】本発明を実施するための第２の形態の平面図。
【図９】本発明を実施するための第２の形態の正面図。
【図１０】図８の１０−１０線に沿う断面図。
【図１１】本発明を実施するための第２の形態の要部拡大断面図。
【図１２】本発明を実施するための第３の形態の平面図。
【図１３】本発明を実施するための第２の形態の正面図。
【図１４】図１２の１４−１４線に沿う断面図。
【図１５】本発明を実施するための第３の形態の要部拡大断面図。
【符号の説明】
【００２２】
１、１Ａ、１Ｂ：露光機用光源装置、
２：ベース板、                ３：光吸収膜、
４：ハニカムコア、            ５：ＬＥＤ、            
６：スイッチ、                ７：ＡＣ−ＤＣ変換器、
８：電流制限抵抗あるいは定電流ダイオード、
９、９Ａ：点灯回路、          １０：ケース本体、
１１：カバー、                １２：ケース体、
１３：ＲＧＢＬＥＤ、          １４：制御回路。
【図１】
2010066520.tif 000003
【図２】
2010066520.tif 000004
【図３】
2010066520.tif 000005
【図４】
2010066520.tif 000006
【図５】
2010066520.tif 000007
【図６】
2010066520.tif 000008
【図７】
2010066520.tif 000009
【図８】
2010066520.tif 000010
【図９】
2010066520.tif 000011
【図１０】
2010066520.tif 000012
【図１１】
2010066520.tif 000013
【図１２】
2010066520.tif 000014
【図１３】
2010066520.tif 000015
【図１４】
2010066520.tif 000016
【図１５】
2010066520.tif 000017